(57)【要約】【課題】  チューナの金属製の外筐を活用することにより、余分な部品を追加することなく接地用電路を形成することを可能にする。接地用電路の接触不良を生じるおそれを無くする。【解決手段】  接地用電路Ｅを、チューナ２０の外筐６０の一部を切り起こして形成した導電性の接片６１で形成する。導体には、配線基板８０の面状の接地電極や板金製の機器筐体を選択可能である。接片６１に、ビス止め可能な接触片６３を形成しておいてもよい。【選択図】        図１
2009124220.tif 000002
【特許請求の範囲】
【請求項１】
チューナの金属製の外筐と導体とが接地用電路で接続されているチューナの接地構造において、
上記接地用電路が、チューナの上記外筐の一部を切り起こして形成されてなる導電性の接片でなることを特徴とするチューナの接地構造。
【請求項２】
上記導体が配線基板の面状の接地電極である請求項１に記載したチューナの接地構造。
【請求項３】
上記導体が上記チューナを収容している板金製の機器筐体でなる請求項１に記載したチューナの接地構造。
【請求項４】
上記接片が、上記外筐から片持ち状に延び出ていて、その先端部に、ビス止めによって上記配線基板の接地電極に圧接される接触片を備えている請求項２に記載したチューナの接地構造。
【請求項５】
チューナの上記外筐が矩形箱形に形作られていて、その外筐の複数箇所に切り目によって接片形成用片部が区画形成され、それらの接片形成用片部のうちの１つが上記外筐から突き出す形態に折り曲げられて上記接片として用いられている請求項１ないし請求項４のいずれか１項に記載したチューナの接地構造。
【発明の詳細な説明】
【技術分野】
【０００１】
本発明は、チューナの接地構造、特に、チューナの金属製の外筐と導体とが接地用電路で接続されているチューナの接地構造に関する。
【背景技術】
【０００２】
ＤＶＤドライブとビデオデッキとに共通の電源基板が用いられて、それらがＡＶ基板など共に共通の機器筐体に収容されている複合機としての電気電子機器において、ＡＶ基板に接続されているチューナ（デジタルチューナなど）を接地用電路を介して上記電源基板やＡＶ基板などの接地電極や板金製の機器筐体に接続しておくことは、いわゆるビート対策として従来より行われている。これと同様の対策は、デジタルテレビジョン受像機などの受信装置についても行われている。
【０００３】
一方、液晶テレビジョンに関して、デジタルテレビ用チューナとジャック接地用基板とを電気的に接続する接地用電路を形成するために板ばねを用いることが提案されている（たとえば、特許文献１参照）。
【特許文献１】特開２００７−６７４８０号公報
【発明の開示】
【発明が解決しようとする課題】
【０００４】
しかしながら、電気電子機器において、電源基板やＡＶ基板の接地電極又は機器筐体とチューナとを電気的に接続する接地用電路として、上掲の特許文献１のように板ばねを別途用いると、板ばねが余分に必要になってそれだけ部品コストや組立コストが高くつくだけでなく、板ばねの一端の接触片とチューナの外筐との接触箇所で接触不良を生じるおそれもある。
【０００５】
本発明は以上の状況に鑑みてなされたものであり、チューナが金属製の外筐を備えている場合に、その外筐を活用することにより、余分な部品を追加することなく接地用電路を形成することを可能にし、併せて、接地用電路の接触不良を生じるおそれを無くすることにより優れたビート対策となり得るチューナの接地構造を提供することを目的とする。
【課題を解決するための手段】
【０００６】
本発明に係るチューナの接地構造は、  チューナの金属製の外筐と導体とが接地用電路で接続されているチューナの接地構造において、上記接地用電路が、チューナの上記外筐の一部を切り起こして形成されてなる、というものである。この構成であれば、余分に板ばねを用いることなく、チューナの金属製の外筐の一部が接地用電路として活用されているので、余分な部品を追加することなく接地用電路を形成され、併せて、チューナの外筐と接地用電路とが接触不良を生じるおそれも皆無になる。
【０００７】
本発明では、上記導体が配線基板の面状の接地電極である、という構成を採用することも、上記導体が上記チューナを収容している板金製の機器筐体でなる、という構成を採用することも可能である。
【０００８】
本発明では、上記接片が、上記外筐から片持ち状に延び出ていて、その先端部に、ビス止めによって上記配線基板の接地電極に圧接される接触片を備えていることが望ましい。この構成であると、チューナの外筐の一部を切り起こして形成されて片持ち状に延びてい接片の先端部の接触片が、ビス止めによって配線基板の接地電極に圧接されるために、接地用電路がチューナの外筐に対しても、配線基板の接地電極に対しても、接触不良を生じにくくなるという利点がある。
【０００９】
本発明では、チューナの上記外筐が矩形箱形に形作られていて、その外筐の複数箇所に切り目によって接片形成用片部が区画形成され、それらの接片形成用片部のうちの１つが上記外筐から突き出す形態に折り曲げられて上記接片として用いられている、という構成を採用することが可能である。この構成を採用すると、配線基板の接地電極や機器筐体に近い箇所に位置している上記接片形成用片部を折り曲げて接地用電路を形成する上記接片として利用することができる。そのため、接地用電路の長さを可及的短くすることができるようになって、ビート対策しての接地用電路の性能を高めやすいという利点がある。また、複数箇所の接片形成用片部の中から特定の接片形成用片部を適切に選択し、それを折り曲げて接片として利用することにより、他の実装部品のじゃまにならないスペースに接地用電路を引き廻すということが容易に可能になる。
【発明の効果】
【００１０】
以上のように、本発明によれば、チューナの金属製の外筐を活用することにより、余分な部品を追加することなく接地用電路を形成することが可能になり、併せて、接地用電路の接触不良を生じるおそれも無くすることが可能になるので、部品コストや組立コストの抑えられたチューナの接地構造を安価に提供することができるようになる。また、チューナの金属製の外筐の一部を切り起こして接地用電路として利用される接片を構成したので、チューナの外筐に対する接地用電路の接触不良を生じるおそれが無くなり、優れたビート対策を提供することが可能になる。
【発明を実施するための最良の形態】
【００１１】
図４は本発明の実施形態に係るチューナの接地構造を上記した複合機としての電気電子機器について例示した概略縦断正面図である。図４において、１１はビデオデッキ、１２はＤＶＤドライブ、１３はメイン基板、１４は電源基板、１５はＡＶ基板を、それぞれ示している。また、２０はチューナであり、このチューナ１６は、メイン基板１３に電気的に接続された起立姿勢の中継基板３０に実装されていると共に、接地用電路Ｅによって電源基板１４及びＡＶ基板１５の両方にそれぞれ設けられている面状の接地電極（不図示）に接続されている。
【００１２】
図１は本発明の実施形態に係るチューナの接地構造を具体的に例示した一部破断側面図である。また、図２は図１に示されているチューナ２０の外観斜視図である。
【００１３】
図１に示したチューナ２０は、上記したように起立姿勢で配備される中継基板３０に実装されている。この中継基板３０は、図４に示したメイン基板１３に接続されたコネクタＣを備えている。中継基板３０には取付板４０が直角に結合されている。また、中継基板３０には、ＢＳデジタル信号や地上波デジタル信号に対応している所要数の分配器５０が実装されていると共に、それらの分配器５０がチューナ２０の端子２１に接続され、かつ、それらの分配器５０の信号線コネクタ部５１が取付板４０の開口４１から突き出ている。
【００１４】
図２に示したように、チューナ２０には偏平な箱形に形作られている金属製の外筐６０が備わっている。そして、この外筐６０の下板部分をアーム状に下向きに切り起こすことによって導電性の接片６１が形成されている。したがって、この接片６１は、その基端部６２が外筐６０に連続した形態でその外筐６０から片持ち状に延び出ている。また、図例の接片６１では、その先端部に左右両側に張り出した接触片６３が具備されていて、その接触片６３の左右２箇所にねじ挿通孔６４，６５が開設されている。なお、上記外筐６０は、チューナ２０による、又は、チューナ２０の電磁波障害を抑制する電磁シールド板としての機能を有している。
【００１５】
図１のように、チューナ２０などを収容している機器筐体の底板７１には、図４を参照して説明した電源基板１４やＡＶ基板１５といった配線基板８０が配備されていて、その配線基板８０のねじ挿通孔の周囲にリング状に面状の接地電極（不図示）が形成されている。そして、同図のように、チューナ２０の外筐６０から下向きに延び出た上記接片６１の接触片６３が配線基板８０の接地電極の上に重ね合わされ、それらの重なり箇所が、接触片６３のねじ挿通孔６４，６５及び配線基板８０のねじ挿通孔に挿通されて上記底板７１のねじ孔７２にねじ込まれた取付ねじ９０によって互いに圧接されている。したがって、接片６１が、チューナ２０の外筐６０と配線基板８０の接地電極とを電気的に接続する接地用電路Ｅを形成するほか、その接片６１や配線基板８０の接地電極、取付ねじ９０などが、チューナ２０の外筐６０と機器筐体とを電気的に接続する接地用電路Ｅを形成する。また、組立作業者は、板ばねなどの余分な部品を配線基板８０にビス止めしたりする必要がない。
【００１６】
チューナの接地構造が上記のように構成されていると、接片６１の基端部６２が外筐６０に連続した形態でその外筐６０から片持ち状に延び出ているために、接地用電路がチューナ２０の外筐６０に対して接触不良を生じるという事態が起こり得ない。また、接片６１は、その先端部の接触片６３がビス止めされることによって配線基板８０の接地電極に圧接しているので、この接触片６３と接地電極との接触箇所でも接触不良を生じにくい。したがって、この実施形態のチューナの接地構造は優れたビート対策となり得るものである。
【００１７】
図１に示した事例では、チューナ２０の外筐６０の下板部分が、チューナ２０の下側に配備されている配線基板８０の接地電極に最も近い箇所であるので、その点を勘案してチューナ２０の外筐６０の下板部分をアーム状に下向きに切り起こすことによって導電性の接片６１を形成してある。このため、接片６１によって形成される接地用電路の長さが可及的短くなっていて、そのことが、ビート対策しての接地用電路の性能を高めることに役立っている。
【００１８】
図３は変形例によるチューナ２０を例示した外観斜視図である。このチューナ２０は、偏平な矩形箱形に形作られている外筐６０の複数箇所を選択し、それぞれの箇所に切り目６６を入れることにより、それらの切り目６６によって接片形成用片部６７を区画形成してある。この構成を備えるチューナ２０によると、複数箇所の接片形成用片部６７のうちの１つを外筐６０から突き出す形態に折り曲げることにより、接地用電路を形成させるための接片として用いられることが可能になる。したがって、このようなチューナ２０を中継基板などに実装しておくと、配線基板の接地電極や機器筐体に近い箇所に位置している接片形成用片部６７を折り曲げて接地用電路を形成する上記接片として利用することができるようになる。そのため、接地用電路の長さを可及的短くすることができるようになって、ビート対策しての接地用電路の性能を高めやすいという上記と同様の利点があるほか、複数箇所の接片形成用片部６７の中から特定のもの適切に選択し、それを折り曲げて接片として利用することにより、他の実装部品のじゃまにならないスペースに接地用電路を引き廻すということが容易に可能になるという利点もある。さらに、特定の接片形成用片部６７を折り曲げて板金製の機器筐体に直接に弾接させておくことによって接地用電路を形成させることも可能である。
【００１９】
図１に示した配線基板８０は、図４に示した電源基板１４であってもＡＶ基板１５であってもよい。また、図２に示したように、接片６１の接触片６３の２箇所にねじ挿通孔６４，６５を開設したものでは、図４のように横並びに配備されている電源基板１４とＡＶ基板１５とに跨がってその接触片６３を配置し、それを２本の取付ねじ９０でビス止めして電源基板１４及びＡＶ基板１５のそれぞれの接地電極に圧接させておくことも可能である。
【図面の簡単な説明】
【００２０】
【図１】本発明の実施形態に係るチューナの接地構造を例示した一部破断側面図である。
【図２】図１に示されているチューナの外観斜視図である。
【図３】変形例によるチューナの外観斜視図である。
【図４】複合機のチューナの接地構造を示した概略縦断正面図である。
【符号の説明】
【００２１】
２０  チューナ
６０  チューナの外筐
６１  接片
６３  接触片
６６  切り目
６７  接片形成用片部
８０  配線基板
Ｅ  接地用電路
【図１】
2009124220.tif 000003
【図２】
2009124220.tif 000004
【図３】
2009124220.tif 000005
【図４】
2009124220.tif 000006